(57)【要約】【課題】コンパウンドを計量カップ等で計量する必要がなく、コンパウンドの飛散も生じないため、工程管理が容易で効率が向上し、環境悪化の心配もないバレル研磨ないし洗浄方法と、それに用いるタブレット型コンパウンドを提供する。【解決手段】バレル研磨ないし洗浄方法は、バレル機内に、被洗浄物と、水と、一定の大きさのタブレット形状に打錠された洗浄用のタブレット型コンパウンドとを少なくとも投入してバレル機を駆動するものであり、タブレット型コンパウンド１は、トリポリリン酸ソーダ、中性無水芒硝、ラウリルジメチルアミンオキサイドを含み、一定の大きさのタブレット形状に打錠されたものである。洗浄用のタブレット型コンパウンドを用いると、投入個数をカウントするだけで投入量を正確に把握できるので工程管理が容易になり、周辺に飛散して環境を悪化させることもない。【選択図】図２
2015054369.tif 000002
【特許請求の範囲】
【請求項１】
バレル機内に、被洗浄物と、水と、一定の大きさのタブレット形状に打錠された研磨ないし洗浄用のタブレット型コンパウンドとを少なくとも投入して、バレル機を駆動することを特徴とするバレル研磨ないし洗浄方法。
【請求項２】
請求項１に記載のバレル洗浄方法に用いられるタブレット型コンパウンドであって、トリポリリン酸ソーダ、中性無水芒硝、ラウリルジメチルアミンオキサイドを含み、一定の大きさのタブレット形状に打錠されていることを特徴とする研磨ないし洗浄用のタブレット型コンパウンド。
【発明の詳細な説明】
【技術分野】
【０００１】
本発明はバレル洗浄方法と、この洗浄方法に用いるタブレット型コンパウンドに関する。
【背景技術】
【０００２】
従来より、湿式バレル研磨ないし洗浄方法として、バレル機内に、被研磨物と水と液状又は顆粒状若しくは粉末状の研磨用ないし洗浄用のコンパウンドとを投入し、バレル機を駆動して被研磨物を研磨ないし洗浄する方法が行われている。
【０００３】
また、洗浄すべき工作物と水ないし洗浄剤、要すればメディア等をバレル機内へ投入し、バレル機に運動を与えて、工作物とメディアとの間又は工作物間に相対運動を発生させて、工作物表面の微細汚染物質を除去するバレル研磨ないし洗浄方法も知られている（特許文献１）。
【０００４】
しかしながら、前記のように、被研磨物と水と液状又は顆粒状の研磨用ないし洗浄用のコンパウンドとをバレル機内に投入して被研磨物を研磨ないし洗浄する方法では、液状又は顆粒状のコンパウンドの投入量を計量カップ等で計量しなければ、コンパウンドを適正な量だけ正確に投入できないため、計量作業が煩わしく、工程管理が複雑になり、効率の低下を招くという問題があった。例えば、液の濃度や切削カスの量にもバラツキを生じ、排水処理の管理が困難であるという問題もあった。
【０００５】
特に、顆粒状のコンパウンドを使用するときは、コンパウンドが周辺に飛散し易いため、正確に計量しても実際の投入量にバラツキが生じ易く、被研磨物の仕上がり状態に影響を与え、周辺環境の悪化や機械の不具合に繋がるという問題もあった。このような問題は、前記特許文献１のバレル研磨ないし洗浄方法においても、洗浄剤を投入する際に同様に生じるものであった。
【０００６】
また、自動供給装置で粉末状（顆粒状）のコンパウンドを供給する場合には、手作業により計量する場合に比べて、計量のバラツキや飛散が激しい。なお、粉末状のコンパウンドを予め水に溶解し、液体コンパウンド用の自動供給装置で供給する場合には、研磨材の様な不溶性の原料を含むコンパウンドの場合は攪拌が不十分で液の分散状態が均一にならなかったり、冬季に水温低下に起因する一部成分の析出が発生したり、溶解時の粘度が高くなり流動性が低くポンプで供給できないといった問題もある。
【先行技術文献】
【特許文献】
【０００７】
【特許文献１】特開平６−７９２４３号公報
【発明の概要】
【発明が解決しようとする課題】
【０００８】
本発明は上記事情の下になされたもので、その解決しようとする課題は、従来のようにコンパウンドを計量する必要がなく、コンパウンドの飛散も生じず、工程管理が容易で効率が向上し、環境悪化の心配もなくなり、特に自動供給装置を用いた場合には安定供給が可能である、バレル研磨ないし洗浄方法を提供すること、並びに、このバレル研磨ないし洗浄方法に用いるタブレット型コンパウンドを提供することにある。
【課題を解決するための手段】
【０００９】
上記課題を解決するため、本発明に係るバレル研磨ないし洗浄方法は、バレル機内に、被洗浄物（ワーク）と、水と、一定の大きさのタブレット形状に打錠されたタブレット型コンパウンドとを少なくとも投入して、バレル機を駆動することを特徴とするものである。
【００１０】
そして、本発明に係る洗浄用のタブレット型コンパウンドは、上記本発明のバレル洗浄方法に用いられるタブレット型コンパウンドであって、トリポリリン酸ソーダ、中性無水芒硝、ラウリルジメチルアミンオキサイドを含み、一定の大きさのタブレット形状に打錠されていることを特徴とするものである。
【発明の効果】
【００１１】
本発明のバレル研磨ないし洗浄方法のように、一定の大きさのタブレット形状に打錠された研磨ないし洗浄用のタブレット型コンパウンドをバレル機内に投入すると、タブレット型コンパウンドの投入個数をカウントするだけでコンパウンドの投入量を正確に把握でき、従来の液状又は顆粒状のコンパウンドのように投入量を計量カップ等で計量する煩わしさがなくなるので、バレル洗浄の工程管理がし易くなり、効率が良くなる。しかも、タブレット型コンパウンドは、バレル機に投入する際に周辺に飛散することがないため、環境を悪化させる心配も解消できる。
【００１２】
また、本発明の洗浄用のタブレット型コンパウンドは、トリポリリン酸ソーダ、中性無水芒硝、ラウリルジメチルアミンオキサイドを含むものであるから、一定の大きさのタブレット形状に容易に打錠でき、優れた洗浄性能を発揮できる。しかも、一定のタブレット形状に打錠されたタブレット型コンパウンドは、従来の液状又は顆粒状のコンパウンドに比べて変質しにくいので、品質保持期間が延びるという効果もある。
【図面の簡単な説明】
【００１３】
【図１】本発明の一実施形態に係るタブレット型コンパウンドの平面図である。
【図２】同タブレット型コンパウンドの側面図である。
【発明を実施するための形態】
【００１４】
以下、本発明の実施形態について詳細に説明する。
本発明に係るバレル研磨ないし洗浄方法は、バレル機内に、被洗浄物（ワーク）と、水と、一定の大きさのタブレット形状に打錠された研磨ないし洗浄用のタブレット型コンパウンドとを少なくとも投入して、バレル機を駆動することにより、被洗浄物を研磨ないし洗浄するものである。
【００１５】
バレル機は湿式バレルであれば特に制限されず、例えば、回転バレル、振動バレル、流動バレル、遠心バレルなど、種々の湿式バレルを用いることができる。
また、被洗浄物（ワーク）としては、各種金属及びプラスチック部品などが対象となる。
【００１６】
被洗浄物及び水と共にバレル機に投入される本発明の研磨ないし洗浄用タブレット型コンパウンドは、従来の洗浄剤及び研磨剤に含まれる成分を種々の組合せで含むことができ、例えばトリポリリン酸ソーダと、中性無水芒硝と、ラウリルジメチルアミンオキサイド等を含む。また、本発明の研磨ないし洗浄用タブレット型コンパウンドは、一定の大きさのタブレット形状、例えば、図１、図２に示すような上下両面を凸曲面とした円板形状に打錠された一定の質量（例えば３０ｇ）を有するタブレット型コンパウンド１が使用される。タブレット型コンパウンドの形状は上記円板形状に限定されるものではなく、所望のタブレット形状とすることができ、また、その質量も１０〜１５０ｇの範囲内で所望の質量とすることができる。
【００１７】
上記のようにトリポリリン酸ソーダ、中性無水芒硝、ラウリルジメチルアミンオキサイドを含む洗浄用のタブレット型コンパウンドは、優れた洗浄性能を有する上に、打錠が容易であり、例えば、トリポリリン酸ソーダと中性無水芒硝を混合攪拌しながらラウリルジメチルアミンオキサイドを添加し、均一になるまで攪拌混合したのち、不純物（粉末の塊り）を取り除いて、そのまま打錠機にて加圧・固結させることにより、所望のタブレット形状に容易に打錠することができる。
【００１８】
タブレット型コンパウンドの投入量は、バレル機内の水量の約０．５〜３％とするのが適当であるが、バレル機の種類や被洗浄物（ワーク）、目的（洗浄、研磨等）などとの兼ね合いによって適宜増減することが望ましい。また、被洗浄物の投入量は、タブレット型コンパウンドと合計して、全体の約１０％までとするのが適当である。
【００１９】
上記のタブレット型コンパウンドは洗浄用であって、微細なメディアは含有されていないが、洗浄作用と研磨作用を併せて発揮させたい場合は、微細なメディアをタブレット型コンパウンドに混入させてもよい。また、必要とあらば、本発明のタブレット型コンパウンドと他の公知の研磨材をバレルに投入し、研磨と洗浄を併せて行うようにしても勿論よい。
【００２０】
以上のように、バレル機内に、被洗浄物（ワーク）と水と洗浄用のタブレット型コンパウンドとを投入してバレルを駆動すると、バレル内の水中でコンパウンドが溶けて被洗浄物と接触、摩擦し、溶解したトリポリリン酸ソーダや中性無水芒硝の水軟化作用、分散作用及びＰＨ緩衝作用と、ラウリルジメチルアミンオキサイドの界面活性作用（脱脂、分散、潤滑等）によって、被洗浄物の表面の油その他の汚染物質が除去される。そして、必要に応じて研磨材を併用すると、ワークの研磨と洗浄が同時に行われる。
【００２１】
このように、本発明のバレル研磨ないし洗浄方法は、液状又は顆粒状のコンパウンドではなく、一定のタブレット形状に打錠された洗浄用のタブレット型コンパウンドを投入して洗浄するものであるから、タブレット型コンパウンドの投入個数をカウントするだけでコンパウンドの投入量を正確に把握することができ、従来の液状又は顆粒状のコンパウンドのように投入量を計量カップ等で計量する煩わしさがなくなるので、バレル研磨ないし洗浄の工程管理がし易くなり、作業効率が向上する。
【００２２】
しかも、タブレット型コンパウンドはバレルに投入する際に周辺に飛散することがないため、環境を悪化させる心配も解消される。また、一定のタブレット形状に打錠されたタブレット型コンパウンドは、従来の液状又は顆粒状のコンパウンドに比べて変質しにくいので、品質保持期間が延びるという利点もある。
【符号の説明】
【００２３】
１    タブレット型コンパウンド
【図１】
2015054369.tif 000003
【図２】
2015054369.tif 000004